(57)【要約】      （修正有）【課題】付箋紙ケースを提供する。【解決手段】ペア組み合わせの中空の筐体１０，１１からなるケース体の開き口１０１，１１１の周囲には、隣接した三辺にそれぞれ欠き口１２及び欠き口１４のあるスロット１３が設けられ、ケース体の中に弾性体２と、三つのサイズのある付箋紙セット３が備わる。一つの付箋紙はケース体内にあり、弾性体に突き当てられるように設けられ、一部が開き口に露出する。他の二つはそれぞれ、一部が欠き口１４に露出するように設けられている。【選択図】図１
0003174225.tif 000002
【実用新案登録請求の範囲】
【請求項１】
ペア組み合わせの中空の筐体からなるケース体が備わり、該組み合わせの筐体の開き口の周囲には、隣接した三辺にそれぞれ欠き口及び欠き口のあるスロットが設けられ、それにより、ケース体は、開き口と二つの欠き口を持つ収納空間になるが、該組み合わせの筐体の開き口の周囲には、残りの一辺にそれぞれ、対応する突出片と嵌合溝が設けられており、
圧縮されてケース体内に納められている弾性体、
三つのサイズのある付箋紙セットが備わり、その一つはケース体内にあり、該開き口に対応し、そして上記弾性体に突き当てられるように設けられ、それにより、単一付箋紙の一部が開き口に露出することになり、他の二つの付箋紙セットはそれぞれ、上記収納空間内に納められ、単一付箋紙の一部が欠き口に露出するように設けられていることを特徴とする付箋紙ケース。
【請求項２】
前記収納空間は、単一または仕切板で複数の小さな空間に仕切られるように設けられていることを特徴とする請求項１に記載の付箋紙ケース。
【請求項３】
前記欠き口の対向した二つの辺の表面には、凹曲面が設けられていることを特徴とする請求項１に記載の付箋紙ケース。
【請求項４】
二組の合わせの前記筐体の全体の前記開き口周囲の隅には、それぞれ、対応する結合柱と結合孔が設けられていることを特徴とする請求項１に記載の付箋紙ケース。
【請求項５】
前記付箋紙セットは、異なる色と材質を選んで作られることを特徴とする請求項１に記載の付箋紙ケース。
【考案の詳細な説明】
【技術分野】
【０００１】
本考案は、付箋紙ケースの構造改良に関わり、特に、様々なサイズ、色、材質を選択できる付箋紙セットで、自ら補充可能なので、使用可能期間を延ばし、重複に使用できる付箋紙ケースに関する。
【背景技術】
【０００２】
付箋は、いつでも、重要な物事や備考、よくある連絡事項を記載するために用いられるメモ用紙であり、よくある付箋紙は、複数の紙を重ねてなり、紙の同じ側の底面の一部には、適当な粘着性のある粘着剤が塗布され、本の形のように設けられてなるが、使用するとき、紙の上に物事を書き入れ、粘着剤のあるところを好きなところに張り付けて、忘れないようにしておくことができる。
【０００３】
このような付箋紙は、ぱっと取って貼り付けられるメリットがあり、多くの人々に好まれているが、しかし、長い時間使用してから、付箋全体の重さが軽くて、その一枚を取って貼り付けるとき、その一枚をうまく外すことができず、つい付箋全体を取ってしまうことがあり、そこで、一手で付箋紙を押さえながら、もう一つの手でそれを外すことになるが、そうなると、スムーズでてきぱきと行うことはできず、特に、数枚しか残らない場合は更に、取り外しにくくなること、それに、このような付箋紙は通常、枚数が少なく、使用可能期間が短く、常に新しいものを購入する必要があり、使用者に不便さなどを与えると思われる。
【０００４】
上述した従来の付箋紙と付箋台の設計に不十分なところがあることを鑑みて、本案の発明者は、その設計の研究に取り組み、更に上を求めよう持続的に新しいアイデアを研究、上述した不十分な点を更に改良して、より実用的な本考案の付箋紙ケースを開発したわけである。
【考案の開示】
【考案が解決しようとする課題】
【０００５】
本考案は、使用時の多様な利便性を向上、便利で簡単、しかも使用者の好みやニーズに応じるための連続使用可能な付箋紙ケースを提供することを目的とする。
【０００６】
本考案は、自ら補充可能な付箋紙セットにより、使用可能期間を延ばし、重複に使用できる付箋紙ケースを提供することをもう一つの目的とする。
【課題を解決するための手段】
【０００７】
上述した各目的を達成させるため、本案の付箋紙ケースは、ペア組み合わせの中空の筐体からなるケース体が備わり、該組み合わせの筐体の開き口の周囲には、隣接した三辺にそれぞれ欠き口及び欠き口のあるスロットが設けられ、それにより、ケース体は、開き口と二つの欠き口を持つ収納空間になるが、ケース体の中に納められる弾性体、そして三つのサイズのある付箋紙セットが備わり、その一つはケース体内にあり、該開き口に対応し、そして弾性体に突き当てられるように設けられ、それにより、単一付箋紙の一部が開き口に露出することになり、他の二つはそれぞれ、収納空間内に納められ、単一付箋紙の一部が欠き口に露出するように設けられていることを特徴とする。
【考案の効果】
【０００８】
本考案による効果は、使用のとき、使用者が実際のニーズや好みにより、異なるサイズの付箋紙を使用し、より多様な使用効果を向上できるほかに、自ら補充可能な付箋紙セットは、色とタイプの交換が可能で、使用可能期間を延ばし、重複使用が可能になるという効果がある。
【０００９】
審査員に本考案の各機能や特徴についてより理解していただけるよう、以下は、具体的な実施例と図示を以って詳しく説明する。
【図面の簡単な説明】
【００１０】
【図１】本考案の付箋紙ケースの構造分解図。
【図２】本考案の付箋紙ケースの組立図。
【図３】本考案の付箋紙ケースの全体外観図。
【図４】本考案の付箋紙ケースの作動図。
【考案を実施するための形態】
【００１１】
図１〜３を参照して説明するが、本案の抽取式付箋紙の構造は、図に示すように、ペア組み合わせの中空の筐体（１０、１１）からなるケース体（１）が備わり、該組み合わせの筐体（１０、１１）の開き口の周囲には、隣接した三辺にそれぞれ欠き口（１２）及び欠き口（１４）のあるスロット（１３）が設けられ、それにより、ケース体（１）は、開き口（１０１、１１１）と二つの欠き口（１４）を持つ収納空間になるが、該収納空間は、単一または仕切板で複数の小さな空間に仕切られるように設けられ、欠き口（１４）の対向した二つの辺の表面には、凹曲面（１４１）が設けられているが、該組み合わせの筐体（１０、１１）の開き口（１０１、１１１）周囲の残りの一辺にはそれぞれ、対応する突出片（１５）と嵌合溝（１６）が設けられ、全体開き口（１０１、１１１）周囲の隅にはそれぞれ、対応する結合柱（１７）と結合孔（１８）が設けられているが、圧縮されてケース体（１）内に納められている弾性体（２）、三つのサイズのある付箋紙セット（３）が備わり、該付箋紙セット（３）は、異なる色と材質を選んで作られるが、最大サイズの付箋紙セット（３）は、ケース体（１）内に納められ、該開き口に対応し、そして弾性体（２）に突き当てられるように設けられ、それにより、付箋紙（３０）の一部が開き口に露出することになり、次の中サイズの付箋紙セット（３）は、単一収納空間内に納められ、付箋紙の一部が欠き口（１４）に露出するようになり、最後の小サイズの付箋紙セット（３）は複数で、それぞれ仕切られている複数の小さな収納空間内に納められ、各付箋紙セット（３）の付箋紙の一部が欠き口（１４）に露出するように設けられている。
【００１２】
また、付箋紙セット（３）は複数枚の付箋紙（３０）を重ねてなり、重なった各枚の付箋紙（３０）は、相互に対向した位置に粘着剤が塗布され、互い違いに接着してあり連続して取り出せることになり、該付箋紙セット（３）は、識別や防水のために、好きな色や材質で作られる。
【００１３】
図２、図３に示すように、実施するとき、様々なサイズまたは色、材質の付箋紙セット（３）と弾性体（２）をそれぞれ、ケース体（１）、及び各収納空間の中に入れるが、例えば、大サイズの付箋紙セット（３）と圧縮された弾性体（２）を共に筐体（１０）内に、それから、中サイズの付箋紙セット（３）を片側の収納空間に、更に小サイズの付箋紙セット（３）を他方側の仕切られた収納空間内に納め、もう一つの筐体（１１）の各隅の結合孔（１８）に、それに対応する結合柱（１７）を挿入、突出片（１５）を嵌合溝（１６）の中へ挿入し、図３に示すような組み合わせ形式を完成するが、各サイズの付箋紙セット（３）の外側に一番近い一枚の付箋紙（３０）の一部を、欠き口（１２）と欠き口（１４）に露出させるようにするが、そうすると、使用するとき、使用者がニーズや好みにより、好きなように付箋紙（３０）を選び、用いられることになり、外部に露出した一枚目の該付箋紙（３０）を取り出したとき、他方側の底面の粘着剤に次の付箋紙（３０）が付いているので、一枚目の付箋紙（２０）を取り出したと、次の付箋紙（３０）が引き出され、その一部が欠き口（１２）または欠き口（１４）の外に露出されることになるが、このような使い方で行くと、付箋紙（３０）は全部引き出され、使い切ったとき、自ら新しい付箋紙セット（３）に交換して、再使用できるようになる。
【００１４】
図４に示すように、付箋紙（３０）を連続に取り出した場合、両側の収納空間内にある中サイズまたは小サイズの付箋紙セット（３）は、数量が少なく、使用上の不便さがなく、弾性体（２）の上方にある付箋紙セット（３）は、圧迫されているところから、弾力が次第に解放され、上へ突き上げ続けるようになり、それで、該付箋紙（３０）の枚数が減って行っても、ケース体（１）の欠き口（１２）内に落下せず、取りにくくなることも避けられる。  
【００１５】
上述した内容を求めると、本考案はなかなか珍しくてよいオリジナル製品であり、同類製品で、それに類似したオリジナルなものや公開物がないということから、実用新案登録請求の要件に一致したもので、規定により出願請求を行うわけである。
【００１６】
上述したのは、本考案の好適な実施例のみについて説明した内容であり、本考案の明細書や図面の内容に基づき、その変化や改造などを行って、それと同等な効果を得たとしても、すべて本考案の実用新案登録請求範囲に含まれるものとすることを予めお断りしておく。
【符号の説明】
【００１７】
ケース体（１）
弾性体（２）
付箋紙セット（３）
筐体（１０）
筐体（１１）
欠き口（１２）
スロット（１３）
欠き口（１４）
突出片（１５）
嵌合溝（１６）
結合柱（１７）
結合孔（１８）
付箋紙（３０）
開き口（１０１）
開き口（１１１）
凹曲面（１４１）
【図１】
0003174225.tif 000003
【図２】
0003174225.tif 000004
【図３】
0003174225.tif 000005
【図４】
0003174225.tif 000006